(57)【特許請求の範囲】
【請求項１】
綴じるべき紙葉類を上面に配するための部材であり予め設定した折り曲げ稜線に沿って折り曲げられた前記紙葉類の折り曲げ稜線が対向する稜線を上面に有する用紙テーブル、及び前記紙葉類を貫通したステープルの貫通端部を当接面により折り曲げるための部材で前記稜線と中心線を一致させて設けたアンビルを備えたステープル受けユニットと、このステープル受けユニットに対向配置され前記用紙テーブルの稜線に沿うようにステープルを保持可能なマガジン、及びこのマガジンに保持されたステープルを用紙テーブル方向に押し出す押刃を備えたステープル打ち出しユニットと、少なくとも前記ステープルがステープル受けユニットのアンビルに向けて押し出される際に前記用紙テーブルの上面に配した紙葉類を用紙テーブルに向けて押圧することが可能な紙押さえとを備え、
前記紙押さえが、前記用紙テーブルに添接させた前記紙葉類の折り曲げ稜線を挟んで両側を押圧可能であることを特徴とするステープラ。
【請求項２】
前記用紙テーブルの上面の稜線の高さが、該稜線のうち少なくともアンビルより基端側の略全域にわたって同一である請求項１記載のステープラ。
【請求項３】
前記用紙テーブルの上面の稜線が、前記アンビルに近づくにつれ高くなっている請求項１記載のステープラ。
【請求項４】
前記ステープル受けユニットと前記紙押さえとの間に、前記紙押さえの前記ステープル受けユニットに対する接離移動を禁止するための紙押さえロック機構を備えている請求項１、２又は３記載のステープラ。
【請求項５】
前記ステープル打ち出しユニットに供給するための操作力を受け付けるハンドルと前記ステープル打ち出しユニットとの間に、前記ハンドルの先端部が受け付けた操作力を増幅して前記ステープル打ち出しユニットに伝達する倍力機構を設けている請求項１、２、３又は４記載のステープラ。
【発明の詳細な説明】
【技術分野】
【０００１】
本発明は、紙葉類を綴じて冊子等を形成すべく用いられるステープラに関する。
【背景技術】
【０００２】
従来より、予め設定した折り曲げ稜線に沿って折り曲げた紙葉類を綴じることにより冊子を形成する要望が広く存在する。この要望に対応すべく、種々の態様のステープラが考えられてきている。このようなステープラの例として、特に用紙の長手方向中央に設定した折り曲げ稜線に沿って折り曲げた紙葉類の折り曲げ稜線上にステープラを好適に配置可能にすべく、綴じるべき紙葉類を上面に配するための部材である用紙テーブルと、この用紙テーブルに対向配置され前記用紙テーブルの長手方向に沿うようにステープルを保持可能なマガジンと、このマガジンに保持されたステープルを用紙テーブル方向に押し出す押刃と、この押刃により押し出され前記用紙を貫通したステープルの貫通端部を当接面により折り曲げるための部材でステープラの長手方向が前記稜線に沿う姿勢となるように前記ステープルの貫通端部を当接面により折り曲げることが可能なアンビルとを備えたものが挙げられる（例えば、特許文献１を参照）。
【０００３】
しかして、特許文献１記載のもののような従来のこの種のステープラにおいては、ステープルにより綴じる位置及びステープルの紙葉類に対する向きを目視のみにより調整するようになっている。そのため、紙葉類をステープルにより綴じた時点で紙葉類の折り曲げ稜線上にアンビルがない、あるいは用紙テーブル及びアンビルの長手方向に対して前記折り曲げ稜線が傾斜しているといった状況が発生しうる。このとき、ステープルが前記折り曲げ稜線上にない、又はステープルの長手方向が前記折り曲げ稜線に対して傾斜した状態で紙葉類が綴じられ、紙葉類を綴じて形成した冊子の見栄えがよくない等の問題が発生しうる。
【先行技術文献】
【特許文献】
【０００４】
【特許文献１】実開平５−３９８７６号公報
【発明の概要】
【発明が解決しようとする課題】
【０００５】
本発明は以上の点に着目し、より確実にステープルを紙葉類の折り曲げ稜線上に配し、紙葉類を綴じて形成した冊子の見栄えの向上を図ることを目的とする。
【課題を解決するための手段】
【０００６】
すなわち本発明に係るステープラは、綴じるべき紙葉類を上面に配するための部材であり予め設定した折り曲げ稜線に沿って折り曲げられた前記紙葉類の折り曲げ稜線が対向する稜線を上面に有する用紙テーブル、及び前記紙葉類を貫通したステープルの貫通端部を当接面により折り曲げるための部材で前記稜線と中心線を一致させて設けたアンビルを備えたステープル受けユニットと、このステープル受けユニットに対向配置され前記用紙テーブルの稜線に沿うようにステープルを保持可能なマガジン、及びこのマガジンに保持されたステープルを用紙テーブル方向に押し出す押刃を備えたステープル打ち出しユニットと、少なくとも前記ステープルがステープル受けユニットのアンビルに向けて押し出される際に前記用紙テーブルの上面に配した紙葉類を用紙テーブルに向けて押圧することが可能な紙押さえとを備え、前記紙押さえが、前記用紙テーブルに添接させた前記紙葉類の折り曲げ稜線を挟んで両側を押圧可能であることを特徴とする。
【０００７】
このようなものであれば、紙葉類を用紙テーブルの上面に配した際に用紙テーブルの稜線に紙葉類の折り曲げ稜線を対向させることにより紙葉類の折り曲げ稜線の位置決めを行うことができ、ステープルが用紙テーブルに押し出される際には紙葉類が紙押さえにより用紙テーブルに向けて押圧されるので紙葉類の折り曲げ稜線の位置が用紙テーブルの稜線上に固定されるので、従来のこの種のステープラと比較して確実にステープルを紙葉類の折り曲げ稜線上に配して紙葉類を綴じることができる。
【０００８】
また、前記紙押さえが、前記用紙テーブルに添接させた前記紙葉類の折り曲げ稜線を挟んで両側を押圧可能であるので、紙葉類を綴じる際により確実に紙葉類の位置決めを行うことができる。
【０００９】
紙葉類を綴じて冊子を形成する作業の便をさらに好適に図ることができる構成の一例として、前記用紙テーブルの上面の稜線の高さが、該稜線のうち少なくともアンビルより基端側の略全域にわたって同一であるものが挙げられる。このような構成であれば、前記紙葉類の折り曲げ稜線の両端部の下面にこのようなステープラを２つ、各ステープラの用紙テーブルの上面を紙葉類に添接させた状態で天板等に載置し、これら２つのステープラによる綴じ作業を同時に又は順次行う作業手順を採用できるからである。
【００１０】
一方、このようなステープラを天板等に載置して使用するための便を図るための構成の一例として、前記用紙テーブルの上面の稜線が、前記アンビルに近づくにつれ高くなっているものが挙げられる。このようなものであれば、紙葉類をアンビル側から前記用紙テーブルの上面と前記紙押さえとの間の空間に挿入する操作を容易に行うことができるからである。
【００１１】
さらに、このようなステープラを通常のステープラとしても使用できるようにするための好適な構成として、前記ステープル受けユニットと前記紙押さえとの間に、前記紙押さえの前記ステープル受けユニットに対する接離移動を禁止するための紙押さえロック機構を備えているものが挙げられる。
【００１２】
加えて、ステープルの打ち込み操作を楽に行うことができるようにするための構成として、前記ステープル打ち出しユニットに供給するための操作力を受け付けるハンドルと前記ステープル打ち出しユニットとの間に、前記ハンドルの先端部が受け付けた操作力を増幅して前記ステープル打ち出しユニットに伝達する倍力機構を設けているものが挙げられる。
【発明の効果】
【００１３】
本発明によれば、より確実にステープルを紙葉類の折り曲げ稜線上に配することが可能であるので、紙葉類を綴じて形成した冊子の見栄えの向上を図ることができる。
【図面の簡単な説明】
【００１４】
【図１】本発明の一実施形態に係るステープラを示す全体斜視図。
【図２】同実施形態に係るステープラを示す正面図。
【図３】同実施形態に係るステープラを示す右側面図。
【図４】同実施形態に係るステープラを示す左側面図。
【図５】図２におけるｘ−ｘ断面図。
【図６】同実施形態に係るステープラを示す分解斜視図。
【図７】同実施形態に係るステープラのハンドルを操作した状態を示す正面図。
【図８】同実施形態に係るステープラのハンドルを操作した状態を示す右側面図。
【図９】同実施形態に係るステープラのハンドルを操作した状態を示す左側面図。
【図１０】図７におけるｙ−ｙ断面図。
【図１１】同実施形態に係るステープルの打ち込み態様を示す作用説明図。
【図１２】同実施形態に係るステープルの打ち込み態様を示す作用説明図。
【図１３】同実施形態に係るステープルの打ち込み態様を示す作用説明図。
【発明を実施するための形態】
【００１５】
本発明の一実施形態を図１〜図１３を参照しつつ以下に述べる。
【００１６】
本実施形態に係るステープラＳは、図１〜図６に示すように、綴じるべき紙葉類Ｐを上面に配するための部材であり予め設定した紙葉類Ｐの折り曲げ稜線Ｐａが対向する稜線１１２ｂを上面１１ａに有する用紙テーブル１１、及び前記紙葉類Ｐを貫通したステープルの貫通端部を当接面により折り曲げるための部材で前記稜線１１２ｂと中心線を一致させて設けたアンビル１２を備えたステープル受けユニット１と、このステープル受けユニット１に対向配置され前記用紙テーブル１１の上面１１ａの稜線１１２ｂに沿うようにステープルを保持可能なマガジン２１、前記マガジン２１を前記用紙テーブル１１に対向させた状態で保持するマガジン保持部材２２、及び前記マガジン２１に保持されたステープルを用紙テーブル１１方向に押し出す押刃２３を備えたステープル打ち出しユニット２と、このステープル打ち出しユニット２をステープル受けユニット１に向けて押し出すための操作力を受け付けるハンドル３と、このハンドル３と前記ステープル打ち出しユニット２との間に設けられ前記ハンドル３の先端部が受け付けた操作力を増幅して前記ステープル打ち出しユニット２の押刃２３に伝達する倍力機構４と、少なくとも前記ステープルが用紙テーブル１１に押し出される際に前記用紙テーブル１１の上面１１ａに配した紙葉類Ｐを用紙テーブル１１に向けて押圧することが可能な紙押さえ５とを備えている。
【００１７】
より具体的には、前記ステープル受けユニット１は、図１〜図６に示すように、前記用紙テーブル１１と、この用紙テーブル１１に取り付けてなるアンビル１２と、前記ステープル打ち出しユニット２を軸支するための軸受部１３と、前記ステープル打ち出しユニット２、前記ハンドル３及び前記紙押さえ５を軸支するための軸部材Ｘ１を取り付けるための軸支壁部１４とを備えている。
【００１８】
前記用紙テーブル１１は、図１〜図６に示すように、平板状をなすベース部１１１と、このベース部１１１の幅方向略中央から起立しその上面１１２ａの幅方向中央に突出幅が最大となる稜線１１２ｂを有する第１のリブ１１２と、この第１のリブ１１２の両側方に設けられ上面１１３ａが前記第１のリブ１１２の上面１１２ａと面一である第２のリブ１１３とを備えている。ここで、この用紙テーブル１１の上面１１ａの稜線１１２ｂの高さ、換言すれば前記第１のリブ１１２の突出幅は、アンビル１２よりも基端側では全域にわたって同一である。また、前記第１のリブ１１２の先端側にはアンビル１２を収納するためのアンビル収納凹部１１２ｘを形成している。さらに、前記ベース部１１１の基端部からは、前記軸支壁部１４を起立させている。また、この用紙テーブル１１には、ステープルと紙葉類Ｐとの間の位置決めを行うための奥行きゲージ１５を設けている。なお、本実施形態では、「用紙テーブル１１の上面１１ａ」とは、「第１のリブ１１２の上面１１２ａ」及び「第２のリブ１１３の上面１１３ａ」を総称して示す概念である。
【００１９】
前記アンビル１２は、図３〜図５に示すように、前記用紙テーブル１１に形成したアンビル収納凹部１１２ｘ内に配してなる。詳述すると、このアンビル１２は、その上面に、押刃２３により押し出されたステープラＳを屈曲させて紙葉類Ｐの紙面に沿う方向に向かわせるための折曲用当接面１２ａを形成している。また、本実施形態では、このアンビル１２の中心線は、折曲用当接面１２ａが伸びる方向と同一の方向に伸び、前記用紙テーブル１１の上面１１ａの稜線１１２ｂ、より具体的には前記第１のリブ１１２の稜線１１２ｂと完全に一致する。
【００２０】
前記ステープル打ち出しユニット２は、上述したように、また、図１〜図６に示すように、ステープルを内部に収納可能なマガジン２１と、このマガジン２１を保持するマガジン保持部材２２と、前記マガジン２１内に収納したステープルを前記ステープル受けユニット１、より具体的にはアンビル１２に向けて押し出すための押刃２３とを備えている。
【００２１】
前記マガジン２１は、従来のステープラＳにおけるものとして周知のものと略同様の構成を有する。すなわち、図２〜図６に示すように、板金素材を折曲げることにより作られた上方に開放した箱形のものであり、底壁２１１と、この底壁２１１の両側縁から立ち上がる側壁２１２と、その側壁２１２の先端部を折曲げて形成された先端壁２１３とを具備してなる。前記底壁２１１の先端部には、押刃２３挿通用の図示しない窓が形成されている。また、本実施形態では、このマガジン２１は、前記用紙テーブル１１の長手方向と略直交する方向に延伸し、該用紙テーブル１１に枢支されたマガジン保持部材２２により支持されている。
【００２２】
前記マガジン保持部材２２は、上述したように、また図２〜図６に示すように、前記ステープル打ち出しユニット１の用紙テーブル１１の基端部に枢支され、先端部において前記マガジン２１を下方すなわちステープル打ち出しユニット１側から保持する。さらに詳述すると、このマガジン保持部材２２は、前記用紙テーブル１１に基端部が枢支されつつ該用紙テーブル１１に対向する取付要素２２１と、この取付要素２２１の先端から該取付要素２２１に略直交する方向に延伸する接続要素２２２と、この接続要素２２２の先端から枢着端に向かう方向と略反対方向に延伸し前記マガジン２１を支持する保持要素２２３とを一体に備えている。そして、この保持要素２２３には、前記押刃２３の回動中心をなす軸部材Ｘ２を取り付けるようにしている。
【００２３】
前記押刃２３は、上述したように前記マガジン２１に保持されたステープルを用紙テーブル１１方向に押し出すための部材である。この押刃２３は、図２〜図６に示すように、後述する押刃ベース２４に取り付けられる押刃取付部２３１と、この押刃取付部２３１の先端側から下方に延出する押刃本体２３２とを具備してなる。この押刃２３は、板金素材を折曲げ加工して作られた金属製のもので、前記押刃本体２３２は、前記マガジン２１の先端側に形成された窓２１１ａに挿通される。前記押刃ベース２４は、前記押刃２３を保持し前記マガジン２１に対して進退動作をし得るようにしたものであり、前記マガジン２１に保持された一連のステープルを一往復動作につき一本ずつ紙葉類Ｐに向けて供給するようになっている。具体的には、押刃ベース２４は、板金素材を折曲げ加工して作られた金属製のもので、その基端部は前記マガジン保持部材２２に回動可能に取り付けられている。
【００２４】
前記ハンドル３は、図１〜図６に示すように、合成樹脂により成形されてなるハンドル本体３１と、このハンドル本体の下面に固定して設けてなる金属製で板状のハンドル金具３２とを備えている。より具体的には、ハンドル本体３１は、天壁３１１と、この天壁３１１の両側縁から垂下する側壁３１２と、前記天壁３１１の前縁から下方に延出する前壁３１３とを具備してなる。前記側壁３１２１の基端部は、前記用紙テーブル１１に枢着されており、該用紙テーブル１１に対してこのハンドル３が上下方向に回動し得るようになっている。そして、天壁３１１の下面に前記ハンドル金具３２を固定して設けている。このハンドル金具３２の下面の長手方向中間部には、前記ステープル打ち出しユニット２に向けて突出する押圧突起３２１を設けている。そして、このハンドル３と前記ステープル打ち出しユニット２との間、より具体的には前記ハンドル金具３２と前記押刃２３との間に、前記倍力機構４を介在させている。
【００２５】
前記倍力機構４は、図２〜図６に示すように、本実施形態では前記マガジン保持部材２２に枢着した倍力部材４１を利用して形成している。この倍力部材４１は、板状をなしてその一端縁を前記マガジン保持部材２２の取付要素２２１の長手方向に沿う端縁に枢着してなり、その自由端における前記ハンドル３の長手方向中間部に対向する位置に上方すなわちハンドル３に向かう側に突出する力点突起４１１を有する。この力点突起４１１は、前記ハンドル３金具の押圧突起３２１と衝き当たることによりハンドル３からの操作力の伝達を受ける。さらに、前記倍力部材４１は前記押刃２３に対向していて、該押刃２３に対向する位置にこの押刃２３を押圧可能な作用突起４１２を設けている。
【００２６】
前記紙押さえ５は、図１〜図６に示すように、前記用紙テーブル１１の上面１１ａの稜線１１２ｂを挟んで対をなして設けた紙押さえ本体５１と、これら対をなす紙押さえ本体５１の基端部と一体に設けられ前記ステープル受けユニット１に枢着される取付部５２とを備えている。前記紙押さえ本体５１は、全域にわたって前記用紙テーブル１１の上面１１ａ、より具体的には前記第２のリブ１１３の上面１１３ａに対向し、この紙押さえ本体５１の下面５１ａと前記用紙テーブル１１の上面１１ａとの間に紙葉類Ｐを配するようにしている。また、この紙押さえ本体５１の上面５１ｂは平面状であり、後述する紙押さえロック機構６により昇降動作を禁止された昇降禁止状態ではこのステープラＳの載置面と平行となる。一方、前記取付部５２は、先端側の下面を用紙テーブル１１の上面１１ａに対向する対向面５２ａとしているとともに、前述したように基端部をステープル受けユニット１に枢着させてなる。なお、この紙押さえ５と前記マガジン保持部材２２とは、共通の軸部材Ｘ１により枢支されている。
【００２７】
また、この紙押さえ５と前記用紙テーブル１１との間には、図３〜図５に示すように、紙押さえ５を可動範囲の下端すなわち前記用紙テーブル１１に最も接近した位置に固定して移動を禁止させることが可能な紙押さえロック機構６を設けている。この紙押さえロック機構６は、前記用紙テーブル１１に枢着させてなる基板６１と、この基板６１から径方向に突出し前記紙押さえ本体５１に設けたロック孔５１ｘに係合可能な係止爪６２とを利用して形成している。そして、この紙押さえロック機構６は、基板６１を回転移動させることにより、前記係止爪６２を前記ロック孔５１ｘに係合させて紙押さえ５の昇降移動を禁止する昇降禁止状態と、前記係止爪６２と前記ロック孔５１ｘとの係合を解除し紙押さえ５の昇降移動を許可する昇降許可状態とを選択的にとることができる。そして、前記昇降禁止状態では、前記紙押さえ５の上面、より具体的には紙押さえ本体５１の上面５１ｂは、ステープラＳの載置面と平行となる。
【００２８】
さらに本実施形態では、図２及び図５に示すように、前記ハンドル３にハンドルロック部材７を枢着している。このハンドルロック部材７は、全体をハンドル３内部に収納してなる収納位置と、先端部を用紙テーブル１１に係り合わせてなるロック位置との間で利用可能であり、前記ロック位置にこのハンドルロック部材７を配することによりハンドル３が用紙テーブル１１に接近すべく移動することを禁止するように構成している。
【００２９】
以下、前記紙押さえロック機構６を昇降許可状態とし、前記ハンドルロック部材７を収納位置とした上で、このステープラＳを利用して紙葉類Ｐを綴じ冊子を形成する際の各部の作用について述べる。
【００３０】
このステープラＳを利用して紙葉類Ｐを綴じて冊子を形成すべく、複数枚積層され予め折り曲げ稜線Ｐａが形成された紙葉類Ｐの折り曲げ稜線Ｐａを前記用紙テーブル１１の上面１１ａの稜線１１２ｂに一致するように対向させた状態で紙葉類Ｐを用紙テーブル１１の上面１１ａと紙押さえ５との間に配置すると、図１１に示すように、紙葉類Ｐはその自重により、最も下方に位置させた紙葉類Ｐの折り曲げ稜線Ｐａが用紙テーブル１１の上面１１ａの稜線１１２ｂに衝き当たり、以下各紙葉類Ｐの折り曲げ稜線Ｐａが直下の各紙葉類Ｐの折り曲げ稜線Ｐａと順次衝き当たる。次いで、紙葉類Ｐの一端縁を奥行きゲージ１５に衝き当てて奥行き方向の位置決めを行う。それから、ハンドル３を下方に押圧する操作力が加えられると、まず、図１２に示すように、ハンドル金具３２の長手方向中央部に設けた押圧突起３２１と倍力金具４１の力点突起４１１とが衝き当たり、倍力金具４１の自由端がマガジン保持部材２２及び押刃２３に接近する。それから、倍力金具４１の作用突起４１２が押刃２３を下降させるべく押刃ベース２４の上面に衝き当たり、ハンドル３、倍力金具４１、マガジン保持部材２２、押刃２３が一体的に用紙テーブル１１に接近する。このとき、前記紙押さえ５も用紙テーブル１１に接近する。さらに操作力が加えられると、図１３に示すように、紙押さえ５が紙葉類Ｐに衝き当たって紙葉類Ｐを用紙テーブル１１に向けて押圧するとともに、マガジン２１の先端が紙葉類Ｐの上面に衝き当たる。そこからさらに操作力が加えられると、押刃２３がアンビル１２に向けて移動してステープルを押し出す。このとき、アンビル１２の中心線は用紙テーブル１１の上面１１ａの稜線１１２ｂと一致しているので、ステープルの両端はいずれも紙葉類Ｐの稜線Ｐａ上を貫通する。そして、従来のステープラＳと同様の原理により、アンビル１２の折曲用当接面１２ａに案内されて折り曲げられることにより紙葉類Ｐを綴じる。このときのステープラＳの正面図、右側面図及び左側面図をそれぞれ図７、図８及び図９に示す。また、図７におけるｙ−ｙ断面図を図１０に示す。
【００３１】
以上に述べたように、本発明のステープラＳの構成によれば、紙葉類Ｐを用紙テーブル１１の上面１１ａに配した際に用紙テーブル１１の上面１１ａの稜線１１２ｂに紙葉類Ｐの折り曲げ稜線Ｐａを対向させることにより紙葉類Ｐの折り曲げ稜線Ｐａの位置決めを行うことができ、ステープルが用紙テーブル１１に押し出される際には紙葉類Ｐが紙押さえ５により用紙テーブル１１に向けて押圧されるので、紙葉類Ｐの折り曲げ稜線Ｐａの位置が用紙テーブル１１の上面１１ａの稜線１１２ｂ上に固定される。従って、従来のこの種のステープラＳと比較して確実にステープルを紙葉類Ｐの折り曲げ稜線Ｐａ上に配して紙葉類Ｐを綴じ、紙葉類Ｐを綴じて形成した冊子の見栄えの向上を図ることができる。
【００３２】
また、本実施形態では、前記紙押さえ５が、前記用紙テーブル１１に添接させた前記紙葉類Ｐの折り曲げ稜線Ｐａと用紙テーブル１１の上面１１ａの稜線１１２ｂとを挟んで両側を押圧するので、紙葉類Ｐを綴じる際により確実に紙葉類Ｐの位置決めを行うことができる。
【００３３】
さらに、前記用紙テーブル１１の上面１１ａの稜線１１２ｂの高さを該稜線１１２ｂのうちアンビル１２より基端側では全域にわたって同一にしているので、前記紙葉類Ｐの折り曲げ稜線Ｐａの両端部の下面にこのようなステープラＳを２つ、各ステープラＳの用紙テーブル１１の上面１１ａを紙葉類Ｐに添接させた状態で天板等に載置し、これら２つのステープラＳによる綴じ作業を同時に又は順次行う作業手順を採用することにより、紙葉類Ｐの折り曲げ稜線Ｐａ上の２箇所を綴じてより迅速に製本を行うことができ、紙葉類Ｐを綴じて冊子を形成する作業の便をさらに好適に図ることができる。
【００３４】
加えて、係止爪６２を紙押さえ本体５１に設けたロック孔に係合させて前記紙押さえ５の前記用紙テーブル１１に対する接離移動を禁止できる前記紙押さえロック機構６を備えているので、紙押さえ本体５１の上面５１ｂすなわち紙押さえ５の上面に紙葉類Ｐを配置してハンドル３を下方に押圧することにより紙葉類Ｐを綴じる態様の通常のステープラＳとしてこのステープラＳを使用することもできる。
【００３５】
そして、操作力を受け付けるハンドル３と前記押刃２３との間に、前記ハンドル３の先端部が受け付けた操作力を増幅して前記押刃２３に伝達する倍力機構４を設けているので、このようなステープラＳを利用して紙葉類Ｐを綴じる操作を楽に行うことができる。
【００３６】
なお、本発明は以上に述べた実施形態に限らない。
【００３７】
例えば、ステープラを机上等に載置して使用するための便を図るべく、用紙テーブルの上面の稜線が、前記アンビルに近づくにつれ高くなっている態様を採用してもよい。このような態様によれば、前記用紙テーブルの上面と前記紙押さえとの間の空間を上方に臨ませることになるので、その空間に紙葉類をアンビル側から挿入する操作を容易に行うことができる。
【００３８】
また、折り曲げ稜線を挟んで紙葉類の両側の２箇所を押圧する紙押さえに代えて、折り曲げ稜線を含む１箇所を押圧する紙押さえを採用してもよい。
【００３９】
さらに、紙押さえの前記用紙テーブルに対する接離移動を禁止するための紙押さえロック機構は省略してもよい。
【００４０】
加えて、操作力を受け付けるハンドルと前記押刃との間の倍力機構を省略してもよい。
【００４１】
その他、本発明の趣旨を損ねない範囲で種々に変形してよい。
【符号の説明】
【００４２】
Ｓ…ステープラ
１…ステープル受けユニット
１１…用紙テーブル
１１２ｂ…稜線
１２…アンビル
２…ステープル打ち出しユニット
２１…マガジン
２３…押刃
５…紙押さえ
【図１】
0005910078.tif 000002
【図２】
0005910078.tif 000003
【図３】
0005910078.tif 000004
【図４】
0005910078.tif 000005
【図５】
0005910078.tif 000006
【図６】
0005910078.tif 000007
【図７】
0005910078.tif 000008
【図８】
0005910078.tif 000009
【図９】
0005910078.tif 000010
【図１０】
0005910078.tif 000011
【図１１】
0005910078.tif 000012
【図１２】
0005910078.tif 000013
【図１３】
0005910078.tif 000014